(57)【特許請求の範囲】
【請求項１】
ラミネートフィルムと複写記入用紙とを一端部で接着し、これらラミネートフィルムと複写記入用紙の間に、一端で綴じ合わせた剥離紙と補助用紙をその綴じ合わせ端がラミネートフィルムと複写記入用紙との前記接着端側に位置するよう配置し、前記ラミネートフィルムと前記剥離紙とを前記綴じ合わせ端側に非接着部分を設けて剥離可能に接着するとともに、前記補助用紙の表面側から加わる圧力で前記複写記入用紙の表面に複写記入するよう複写構造を設けたことを特徴とする複写記入ラミネート用紙。
【請求項２】
ラミネートフィルムの剥離可能な接着部分に、剥離紙に達するスリットによって型抜き部を設けたことを特徴とする請求項１記載の複写記入ラミネート用紙。
【請求項３】
ラミネートフィルムと複写記入用紙とを一端部で接着し、これらラミネートフィルムと複写記入用紙の間に、一端で綴じ合わせた剥離紙と補助用紙をその綴じ合わせ端がラミネートフィルムと複写記入用紙との前記接着端側に位置するよう配置し、前記ラミネートフィルムと前記剥離紙とを前記綴じ合わせ端側に非接着部分を設けて剥離可能に接着するとともに、前記補助用紙の表面側から加わる圧力で前記複写記入用紙の表面に複写記入するよう複写構造を設けて複写記入ラミネート用紙となし、２つの複写記入ラミネート用紙を、互いのラミネートフィルムと複写記入用紙との接着端が反対側に位置するよう重ね合わせ、上位の複写記入ラミネート用紙の複写記入用紙と下位の複写記入ラミネート用紙の補助用紙とを上位のラミネートフィルムと複写記入用紙との接着端側で綴じ合わせるとともに、上位の複写記入ラミネート用紙の補助用紙と下位の複写記入ラミネート用紙の複写記入用紙とを下位のラミネートフィルムと複写記入用紙との接着端側で綴じ合わせ、上位の補助用紙の表面側から加わる圧力で各複写記入用紙の表面に複写記入するよう構成したことを特徴とする複写記入ラミネート用紙の組。
【請求項４】
少なくとも１つのラミネートフィルムの剥離可能な接着部分に、剥離紙に達するスリットによって型抜き部を設けたことを特徴とする請求項３記載の複写記入ラミネート用紙の組。
【発明の詳細な説明】
【０００１】
【産業上の利用分野】
本発明は、複写記入した用紙、例えば領収証、保証書、簡易カード等をラミネートする複写記入ラミネート用紙及びその組に関する。
【０００２】
【従来の技術】
従来のラミネート用紙は、第１に、記入済みの被接着用紙の上にラミネートフィルムを重ね合わせて熱着、圧着等の適宜手段で接着する構成や、第２に、ラミネートフィルムと剥離紙からなるフィルムタック紙の一端部でラミネートフィルムに被接着用紙を接着し、この被接着用紙に記入後に剥離紙を剥がして、ラミネートフィルム全体を被接着用紙に接着する構成が知られている。
【０００３】
【発明が解決しようとする課題】
このため従来にあっては、第１の構成によると、被接着用紙の上にラミネートフィルムを重ね合わせる際の位置合わせを正確に行うことが困難であるという不都合がある。また、第２の構成によると、被接着用紙への記入内容の控えをとるには、被接着用紙への記入後に複写機で複写する等の作業が必要であり煩雑であるという不都合があった。本発明はこのような不都合を解消した複写記入ラミネート用紙を提供することを目的とする。
【０００４】
【課題を解決するための手段】
上述した目的を達成するために本発明の複写記入ラミネート用紙は、ラミネートフィルムと複写記入用紙とを一端部で接着し、これらラミネートフィルムと複写記入用紙の間に、一端で綴じ合わせた剥離紙と補助用紙をその綴じ合わせ端がラミネートフィルムと複写記入用紙との前記接着端側に位置するよう配置し、前記ラミネートフィルムと前記剥離紙とを前記綴じ合わせ端側を除いて剥離可能に接着するとともに、前記補助用紙の表面側から加わる圧力で前記複写記入用紙の表面に複写記入するよう複写構造を設けたものである。
【０００５】
また、上述した構成の２つの複写記入ラミネート用紙を、互いのラミネートフィルムと複写記入用紙との接着端が反対側に位置するよう重ね合わせ、上位の複写記入ラミネート用紙の複写記入用紙と下位の複写記入ラミネート用紙の補助用紙とを上位のラミネートフィルムと複写記入用紙との接着端側で綴じ合わせるとともに、上位の複写記入ラミネート用紙の補助用紙と下位の複写記入ラミネート用紙の複写記入用紙とを下位のラミネートフィルムと複写記入用紙との接着端側で綴じ合わせ、上位の補助用紙の表面側から加わる圧力で各複写記入用紙の表面に複写するよう構成して複写記入ラミネート用紙の組としてもよい。
【０００６】
さらに、上述した複写記入ラミネート用紙あるいは複写記入ラミネート用紙の組における少なくとも１つのラミネートフィルムの剥離可能な接着部分に、剥離紙に達するスリットによって型抜き部を設けることもできる。
【０００７】
【作用】
複写記入ラミネート用紙の補助用紙にその表面側から直接または間接に筆圧や印圧を加えると、同一内容が複写記入用紙に複写記入される。補助用紙の剥離紙との綴じ合わせ端とは反対側を固定し、ラミネートフィルムと複写記入用紙の接着端を把持して引っ張ると、前記剥離紙と前記ラミネートフィルムとの接着状態が徐々に解除されて剥がれると同時に、前記ラミネートフィルムは複写記入された前記複写記入用紙の表面側に順次接着されてこれを被覆する。
【０００８】
また、複写記入ラミネート用紙の組の場合には、上位の補助用紙にその表面側から直接または間接に筆圧や印圧を加えると、同一内容がそれぞれの複写記入用紙に複写記入される。上位の補助用紙と下位の複写記入用紙の接着端側を固定し、上位のラミネートフィルムと複写記入用紙及び下位の補助用紙との各接着端を把持して引っ張ると、上位及び下位の剥離紙とラミネートフィルムとの接着状態が徐々に解除されて剥がれると同時に、各ラミネートフィルムは複写記入された各複写記入用紙の表面側に順次接着されてこれを被覆する。
【０００９】
さらに、ラミネートフィルムに型抜き部を設けると、この型抜き部は剥離紙に接着した状態で剥がれていくので、対応する複写記入用紙はその表面側に前記型抜き部に対応する窓部が形成された状態で前記ラミネートフィルムにより被覆される。したがって、前記複写記入用紙に対する前記窓部からの追加記入が可能となる。
【００１０】
【実施例】
以下、本発明を損害保険の領収証綴りに適用した場合の好適な実施例を添付図面に基づき詳細に説明する。ここにおいて、図１〜図６は第１実施例を示し、図１は複写記入ラミネート用紙を含む領収証綴りの平面図、図２はそのＡ−Ａ線断面図、図３はラミネートフィルムを複写記入用紙たる領収証写に接着する状態を示す概略的な断面図、図４は領収証写をラミネートフィルムで被覆した状態の平面図、図５はそのＢ−Ｂ線断面図、図６は同じくＣ−Ｃ線断面図である。また、図７〜図９は第２実施例を示し、図７は複写記入ラミネート用紙の組を含む領収証綴りの断面図、図８は領収証をラミネートフィルムで被覆した状態の断面図、図９は領収証写をラミネートフィルムで被覆した状態の断面図である。
【００１１】
まず、第１実施例を説明すると、図２に示すように、領収証綴り１は、剥離紙２の剥離処理を施した表面に粘着剤４によって剥離可能に接着した透視可能なラミネートフィルム３を備えている。このラミネートフィルム３の一端側には、所定幅にわたって粘着剤非塗布部３ａを設けて、前記剥離紙２に対して非接着状態とし、非接着端側であるこの粘着剤非塗布部３ａ端側の前記ラミネートフィルム３は、前記剥離紙２の端部から延出して形成している。そして、前記ラミネートフィルム３には、４隅をアールにした四角状に前記剥離紙２に達するスリットを入れて形成した型抜き部３５を設けている。
【００１２】
また、剥離紙２の裏面には補助用紙５を粘着剤非塗布部３ａ端側において接着剤６で綴じ合わせる一方、前記補助用紙５の裏面側に複写記入用紙たる領収証写７を前記粘着剤非塗布部３ａ端側が前記補助用紙５から延出するよう配置し、この領収証写７の延出部分の表面側とラミネートフィルム３の延出部分の裏面側とを粘着剤８で接着している。この粘着剤８は粘着剤４と同一の組成からなる粘着剤でもよいし、異なった組成からなる粘着剤でもよい。なお、前記領収証写７は保険代理店の担当者が保険会社へ提出するもので、前記ラミネートフィルム３と同一大に形成されている。前記補助用紙５の裏面には、ロイコ系染料を内包したマイクロカプセル層からなる発色剤層９が設けられ、前記領収書写７の表面には、固体酸からなる顕色剤層１０が設けられ、これら対向する各層９，１０によってノーカーボン複写構造を構成している。以上の各構成要素により複写記入ラミネート用紙を構成する。
【００１３】
同じく図２に示すように、補助用紙５の剥離紙２との綴じ合わせ端と反対側は前記剥離紙２から延出するよう形成されて切り用ミシン目１１が設けられ、この切り用ミシン目１１の外側の表面側には、同じく切り用ミシン目１２を設けた領収証１３の一端が接着剤１４で綴じ合わされ、前記領収証１３はラミネートフィルム３の表面側に重ねられている。また、前記領収証１３の前記切り用ミシン目１２の外側には、同じく切り用ミシン目１５を設けた契約報告書１６の一端が接着剤１７で綴じ合わされている。一方、前記補助用紙５の切り用ミシン目１１の外側の裏面側には、同じく切り用ミシン目１８を設けた領収証控１９の一端が接着剤２０で綴じ合わされ、前記領収証控１９は領収証写７の裏面側に重ねられている。なお、前記領収証１３は契約者へ手渡すものであり、前記契約報告書１６は保険会社へ提出するものであり、前記領収証控１９は保険代理店で保管するものである。そして、契約報告書１６、領収証１３、補助用紙５、領収証控１９は同一大に形成されている。
【００１４】
また、契約報告書１６の裏面には、ロイコ系染料を内包したマイクロカプセル層からなる発色剤層２１が設けられ、領収証１３の表面には、固体酸からなる顕色剤層２２が設けられ、これら対向する各層２１，２２によってノーカーボン複写構造を構成している。同様に、領収証写７の裏面には、ロイコ系染料を内包したマイクロカプセル層からなる発色剤層２３が設けられ、領収書控１９の表面には、固体酸からなる顕色剤層２４が設けられ、これら対向する各層２３，２４によってノーカーボン複写構造を構成している。
【００１５】
図１に示すように、契約報告書１６の表面には、「契約報告書」なる標題２５の下に、契約者の住所、氏名、電話番号を記入する契約者記入欄２６、証券番号を記入する証券番号記入欄２７、契約した保険の種類を選択記入する保険種類選択記入欄２８、保険の始期と満期を記入する保険期間記入欄２９、保険金の領収額を記入する領収金額記入欄３０、保険金の支払方法を記入する支払方法記入欄３１、保険の契約目的を記入する目的記入欄３２がそれぞれ設けられている。そして、前記目的記入欄３２には、保険の契約目的が別紙の契約申込書への記入内容と同一であることを示す「申込書と同じ」なる文言が、あらかじめ印刷されている。また、前記目的記入欄３２の下には、契約年月日を記入する契約日記入欄３３が設けられ、前記支払方法記入欄３１の下方には保険会社の住所、名称を表示した保険会社表示３４が印刷されている。
【００１６】
領収証１３、領収証写７、領収証控１９の表面には、それぞれに対応する標題４５と保険会社表示４６（図４参照、領収証写７についてのみ図示）が印刷されているほか、上述した契約報告書１６の各記入欄２６，２７，２８，２９，３０，３１，３２と同一の契約者記入欄３６、証券番号記入欄３７、保険種類選択記入欄３８、保険期間記入欄３９、領収金額記入欄４０、支払方法記入欄４１、目的記入欄４２が記入欄が上下に対応する位置に設けられている（図４参照、領収証写７についてのみ図示）。なお、契約日記入欄３３に上下に対応する位置には領収日記入欄４３が設けられ（図４参照、領収証写７についてのみ図示）、また、領収証写７にはラミネートフィルム３の型抜き部３５に上下に対応する位置に追記欄４７が設けられている（図４参照）。したがって、前記契約報告書１６の各記入欄２６，２７，２８，２９，３０，３１，３２，３３への記入事項が、領収証１３、領収証写７、領収証控１９の対応する各記入欄３６，３７，３８，３９，４０，４１，４２，４３に複写記入されることになる（図４参照）。
【００１７】
本実施例は以上のように構成したので、図１及び図２状態において、契約報告書１６の各記入欄２６，２７，２８，２９，３０，３１，３３へ所定事項を記入すると、領収証１３、領収証写７、領収証控１９の対応する各記入欄３６，３７，３８，３９，４０，４１，４３に同一事項が複写記入される（図３及び図４参照）。ここで、図３に示すように、補助用紙５の切り用ミシン目１１端部を固定して、前記契約報告書１６、前記領収証１３、前記領収証控１９の自由端から延出している、ラミネートフィルム３と領収証写７の接着端部を把持して引っ張ると、前記ラミネートフィルム３は剥離紙２との非接着端側から徐々に剥離すると同時に、複写記入された前記領収証写７の表面側に順次接着されてこれを被覆していく。
【００１８】
この時、ラミネートフィルム３の型抜き部３５は剥離紙２に接着したまま残るので、前記ラミネートフィルム３の型抜き部３５対応部分は切り欠き状態となって窓部４８が形成される。このようにして、図４〜図６に示すように、複写記入面がラミネートフィルム３で被覆され、追記欄４７には窓部４８が対応位置して追加記入可能な領収証写７が形成される。前記追記欄４７には、取り扱った保険代理店名が記入される。また、領収証写７は、保険会社において、記入されている各種のデータに基づき、他の帳票の作成や、顧客管理に使用される。
【００１９】
続いて、第２実施例を説明する。図７に示すように、本実施例は、ほぼ同一構成の複写記入ラミネート用紙たる上位領収証綴り１０１と下位領収証綴り２０１とを綴じ合わせてなる複写記入ラミネート用紙の組を含む領収証綴りに関するものである。前記上位領収証綴り１０１は、剥離紙１０２の剥離処理を施した表面に粘着剤１０４によって剥離可能に接着した透視可能なラミネートフィルム１０３を備えている。このラミネートフィルム１０３の一端側には、所定幅にわたり粘着剤非塗布部１０３ａを設け、前記剥離紙１０２に対して非接着状態とし、非接着端側であるこの粘着剤非塗布部１０３ａ端側の前記ラミネートフィルム１０３は、前記剥離紙１０２の端部から延出して形成している。
【００２０】
また、剥離紙１０２の裏面には補助用紙１０５を粘着剤非塗布部１０３ａ端側において接着剤１０６で綴じ合わせる一方、前記補助用紙１０５の裏面側に複写記入用紙たる領収証写１０７を前記粘着剤非塗布部１０３ａ端側が前記補助用紙１０５から延出するよう配置し、この領収証写１０７の延出部分の表面側とラミネートフィルム１０３の延出部分の裏面側とを粘着剤１０８で接着している。この粘着剤１０８は粘着剤１０４と同一の組成からなる粘着剤でもよいし、異なった組成からなる粘着剤でもよい。なお、前記領収証写１０７は保険代理店の担当者が保険会社へ提出するもので、前記ラミネートフィルム１０３と同一大に形成されている。前記補助用紙１０５の接着剤１０６による綴じ合わせ部分の内側には切り用ミシン目１２５が形成されている。
【００２１】
同じく図７に示すように、補助用紙１０５の剥離紙１０２との綴じ合わせ端と反対側は前記剥離紙１０２から延出するよう形成されて切り用ミシン目１１１が設けられ、この切り用ミシン目１１１の外側の表面側には、同じく切り用ミシン目１１２を設けた契約報告書控１１３の一端が接着剤１１４で綴じ合わされ、前記契約報告書控１１３はラミネートフィルム１０３の表面側に重ねられている。また、前記契約報告書控１１３の前記切り用ミシン目１１２の外側には、同じく切り用ミシン目１１５を設けた契約報告書１１６の一端が接着剤１１７で綴じ合わされている。なお、前記契約報告書控１１３は保険代理店で保管し、前記契約報告書１１６は保険会社へ提出するものである。そして、契約報告書１１６、契約報告書控１１３、補助用紙１０５は同一大に形成されている。
【００２２】
また、剥離紙１０２と補助用紙１０５と契約報告書１１６の各裏面には、ロイコ系染料を内包したマイクロカプセル層からなる発色剤層１０９，１１９，１２１が設けられる一方、前記補助用紙１０５と領収証写１０７と契約報告書控１１３の各表面には、固体酸からなる顕色剤層１１０，１２０，１２２が設けられ、これら対向する各層１０９，１１９，１２１，１１０，１２０，１２２によってノーカーボン複写構造を構成している。なお、図示してはいないが、契約報告書１１６、補助用紙１０５、領収証写１０７の表面には、第１実施例の契約報告書１６、領収証写７と同一の記入欄と保険会社表示が設けられ、契約報告書控１１３の表面には、契約報告書１１６と同一の記入欄と保険会社表示が設けられている。
【００２３】
一方、下位領収証綴り２０１は、綴じ合わせ端が反対側となっているほかは上位領収証綴り１０１と同様に構成されている。すなわち、剥離紙２０２の表面に粘着剤２０４によって透視可能なラミネートフィルム２０３を剥離可能に接着し、このラミネートフィルム２０３の一端側には、所定幅にわたり粘着剤非塗布部２０３ａを設けて前記剥離紙２０２に対して非接着状態とし、非接着端側であるこの粘着剤非塗布部２０３ａ端側の前記ラミネートフィルム２０３は、前記剥離紙２０２の端部から延出して形成している。
【００２４】
剥離紙２０２の裏面には補助用紙２０５を粘着剤非塗布部２０３ａ端側において接着剤２０６で綴じ合わせる一方、前記補助用紙２０５の裏面側に領収証２０７を前記粘着剤非塗布部２０３ａ端側が前記補助用紙２０５から延出するよう配置し、この領収証２０７の延出部分の表面側とラミネートフィルム２０３の延出部分の裏面側とを粘着剤２０８で接着している。前記補助用紙２０５の接着剤２０６による綴じ合わせ部分の内側には切り用ミシン目２２５が形成されている。なお、前記領収証２０７が契約者に手渡される領収証となる。
【００２５】
また、剥離紙２０２と補助用紙２０５の裏面には、ロイコ系染料を内包したマイクロカプセル層からなる発色剤層２１９，２０９が設けられ、前記補助用紙２０５と領収証２０７の表面には、固体酸からなる顕色剤層２２０，２１０が設けられ、これら対向する各層２０９，２１０及び２１９，２２０によってノーカーボン複写構造を構成している。そして、領収証写１０７と補助用紙２０５とを接着剤１３０で綴じ合わせ、補助用紙１０５と領収証２０７とを接着剤１３１で綴じ合わせる一方、補助用紙２０５と領収証２０７との各綴じ合わせ部分の内側には切り用ミシン目１３２，１３３を設けている。
【００２６】
さらに、図示してはいないが、補助用紙２０５と領収証２０７の表面には、上述した領収証綴り１０１の補助用紙１０５、領収証写１０７と同一の各記入欄及び保険会社表示が設けられている。したがって、契約報告書１１６の各記入欄（図示せず）への記入事項が、契約報告書控１１３、補助用紙１０５、領収証写１０７、補助用紙２０５、領収証２０７の対応する各記入欄（図示せず）に複写記入されることになる（図８、図９参照）。
【００２７】
本実施例は以上のように構成したので、契約報告書１１６の各記入欄（図示せず）へ所定事項を記入すると、契約報告書控１１３、補助用紙１０５、領収証写１０７、補助用紙２０５、領収証２０７の対応する各記入欄（図示せず）に同一事項が複写記入される。ここで、補助用紙１０５と領収証２０７の綴じ合わせ端部を固定して、ラミネートフィルム１０３と領収証写１０７と補助用紙２０５の接着端部を把持して引っ張ると、各ラミネートフィルム１０３，２０３は接着している各剥離紙１０２，２０２との非接着端側から徐々に剥離すると同時に、対応する複写記入された領収証写１０７、領収証２０７の表面側に順次接着されてこれを被覆していく。
【００２８】
このようにして、図８及び図９に示すように、複写記入面がラミネートフィルム１０３で被覆された領収証写１０７が剥離紙２０２及び補助用紙２０５とともに引き抜かれ、複写記入面がラミネートフィルム２０３で被覆された領収証２０７が契約報告書１１６、契約報告書控１１３、剥離紙１０２及び補助用紙１０５とともに残って、互いに分離された状態となる。そして、切り用ミシン目１３２を破断すれば、ラミネートフィルム１０３で被覆された領収証写１０７を分離することができ、また、切り用ミシン目１３３を破断すれば、ラミネートフィルム２０３で被覆された領収証２０７を分離することができる。ラミネートフィルム２０３で被覆された領収証２０７は契約者に手渡される一方、ラミネートフィルム１０３で被覆された領収証写１０７は、保険会社において、記入されている各種のデータに基づき、他の帳票の作成や、顧客管理に使用される。
【００２９】
なお、本発明は上述した実施例に限定されるものではなく、例えば、ラミネートフィルム３の型抜き部３５と同様の型抜き部を、各ラミネートフィルム１０３，２０３の少なくとも一方に設けてもよく、また、前記型抜き部３５をラミネートフィルム３に設けなくてもよい。さらに、剥離紙２と補助用紙５との対向面に複写構造を設けて、前記補助用紙５を複写記入用紙として使用することもできるし、各剥離紙１０２，２０２と各補助用紙１０５，２０５との対向面に設けた各複写構造１１９，１２０，２１９，２２０は設けなくてもよい。またさらに、契約報告書控１１３を領収証として構成する一方、領収証２０７を領収証写として構成することもできる。
【００３０】
また、本発明は領収証綴り１，１０１，２０１以外にも適用可能であり、この場合には、用途に応じて綴じ合わせる用紙の枚数や記入内容が決定されるが、ラミネートフィルム３，１０３，２０３、剥離紙２，１０２，２０２、補助用紙５，１０５，２０５、領収証写７，１０７、領収証２０７及び複写構造９，１０，１０９，１１０，２０９，２１０に対応する構成要素が存在すればたり、他の構成要素は必ずしも設ける必要はない。そして、補助用紙５，１０５に対応する構成要素を記入用紙とし、その表面に記入した事項を領収証写７，１０７、領収証２０７に複写記入するよう構成すればよい。さらに、複写構造はノーカーボン式に限らず、自己発色式やカーボン式を採用してもよいものである。さらにまた、ラミネートフィルム３，１０３，２０３による被覆は、改ざん防止が必要な複写記入部分のみを対象として部分的に行ってもよい。
【００３１】
【発明の効果】
以上説明したところで明らかなように、本発明によれば、ラミネートフィルムと複写記入用紙、あるいはこれに加えて下位の補助用紙を引っ張るという簡単な動作で、特別な位置合わせをすることなく１つあるいは２つの複写記入用紙の複写記入面をラミネートフィルムで確実に被覆することができ、また、複写記入事項の改ざん防止が可能になるほか、複写記入用紙の剛度が強化されるとともに、耐久性が向上するという効果を奏する。また、ラミネートフィルムに型抜き部を設けた場合には、前記型抜き部に対応して窓部が形成されるので、被覆した複写記入用紙に前記窓部から追加記入できるという効果を奏する。
【図面の簡単な説明】
【図１】領収証綴りの第１実施例を示す平面図。
【図２】図１のＡ−Ａ線断面図。
【図３】ラミネートフィルムを領収証写に接着する状態を示す概略的な断面図。
【図４】領収証写をラミネートフィルムで被覆した状態の平面図。
【図５】図４のＢ−Ｂ線断面図。
【図６】図４のＣ−Ｃ線断面図。
【図７】領収証綴りの第２実施例を示す断面図。
【図８】領収証をラミネートフィルムで被覆した状態の断面図。
【図９】領収証写をラミネートフィルムで被覆した状態の断面図。
【符号の説明】
１      領収証綴り
１０１      上位領収証綴り
２０１      下位領収証綴り
２，１０２，２０２      剥離紙
３，１０３，２０３      ラミネートフィルム
３ａ，１０３ａ，２０３ａ      非接着部
４，８，１０４，１０８，２０４，２０８      粘着剤
５，１０５，２０５      補助用紙
６，１４，１７，２０，１０６，１１４，１１７，１３０，１３１，２０６接着剤
７，１０７      領収証写
９，２１，２３，１０９，１１９，１２１，２０９，２１９      発色剤層
１０，２２，２４，１１０，１２０，１２２，２１０，２２０    顕色剤層
１１，１２，１５，１８，１１１，１１２，１１５，１２５，１３２，１３３，２２５      切り用ミシン目
１３，１１３，２０７      領収証
１６，１１６      契約報告書
１１３      契約報告書控
１９      領収証控
３５      型抜き部
４８      窓部
【図１】
0003585284.tif 000002
【図２】
0003585284.tif 000003
【図３】
0003585284.tif 000004
【図４】
0003585284.tif 000005
【図５】
0003585284.tif 000006
【図６】
0003585284.tif 000007
【図７】
0003585284.tif 000008
【図８】
0003585284.tif 000009
【図９】
0003585284.tif 000010